(57)【要約】      （修正有）【課題】包装時の作業コストや包装体の製造コストを安価にできると共に、ユーザーに対して製品の特性を視覚的に明瞭に伝えることが容易にできる筆記具収容体を提供する。【解決手段】キャップ８２を備えた筆記具８を収容する筆記具収容体１であって、少なくともキャップ８２を被覆し、前記被覆部４外面にキャップ内のペン先を説明する説明部４１を表示する。前記筆記具収容体１が、支持板に載置した筆記具８のキャップ８２及び筆記具後端を被覆することで筆記具８を保持し、筆記具本体８１を視認可能とする構造である。【選択図】図１
0003169550.tif 000002
【実用新案登録請求の範囲】
【請求項１】
キャップを備えた筆記具を収容する筆記具収容体であって、少なくともキャップを被覆し、前記被覆部外面にキャップ内のペン先を説明する説明部を表示することを特徴とする筆記具収容体。
【請求項２】
前記筆記具収容体が、支持板に載置した筆記具のキャップ及び筆記具後端を被覆することで筆記具を保持し、筆記具本体を視認可能とする構造であることを特徴とする請求項１記載の筆記具収容体。
【請求項３】
前記筆記具が交換可能なインキカートリッジを内蔵すると共に、前記支持板の筆記具本体が載置される部分に前記インキカートリッジを説明する第二説明部を表示することを特徴とする請求項１又は２に記載の筆記具収容体。
【請求項４】
軸筒先端よりペン先を出没させる出没機構を備えた筆記具を収容する筆記具収容体であって、少なくとも軸筒先端を被覆し、前記被覆部外面に軸筒内に収容されるペン先を説明する説明部を表示することを特徴とする筆記具収容体。
【請求項５】
前記筆記具収容体が、支持板に載置した筆記具の軸筒先端及び筆記具後端を被覆することで筆記具を保持し、筆記具本体を視認可能とする構造であることを特徴とする請求項４記載の筆記具収容体。
【請求項６】
前記筆記具収容体が、箱状柱体の連接する二側面に、長手方向と略垂直な向きで少なくとも二本の切込部を形成することにより得られる請求項１乃至５のいずれかに記載の筆記具収容体。
【請求項７】
前記筆記具収容体が、略楕円柱状箱体の一曲側面に、長手方向と略垂直な向きで少なくとも二本の切込部を形成することにより得られる請求項１乃至５のいずれかに記載の筆記具収容体。
【考案の詳細な説明】
【技術分野】
【０００１】
本考案は、筆記具収容体に関する。更には、収容する製品の説明効果が高い筆記具収容体に関する。
【背景技術】
【０００２】
従来、筆記具を販売又は販促物として配布する際には、前記筆記具の特長を説明するためのリーフレットを筆記具と共に包装体内に同封したり、説明文が印刷されたセリース袋や箱体に筆記具を収容することでユーザーに提供されている（例えば特許文献１、２参照）。
前記リーフレットを包装体内に同封したセットは、多くの情報をリーフレットに掲載することができるものの、個装物全体が大きくなり嵩張るため複数個の運搬に支障をきたすことや、収容物が増加するために包装時の作業コストが高くなる等の問題を生じる。
また、セリース袋に収容したものは、嵩張ることなく個装物を形成できるものの、製品を視認可能に包装する場合には説明部が裏面のみに設けられるため、製品特徴等を効果的に説明し難いものとなる。また、小ロットでの生産ができないため、製造コストが高くなる等の問題も生じる。
【特許文献１】実開平３−２９４４５号公報
【特許文献２】実開昭６４−５５２７３号公報
【考案の開示】
【考案が解決しようとする課題】
【０００３】
本考案は、包装時の作業コストや包装体の製造コストを安価にできると共に、ユーザーに対して製品の特性を視覚的に明瞭に伝えることが容易にできる筆記具収容体を提供するものである。
【課題を解決するための手段】
【０００４】
本考案は、キャップを備えた筆記具を収容する筆記具収容体であって、少なくともキャップを被覆し、前記被覆部外面にキャップ内のペン先を説明する説明部を表示することを要件とする。
更に、前記筆記具収容体が、支持板に載置した筆記具のキャップ及び筆記具後端を被覆することで筆記具を保持し、筆記具本体を視認可能とする構造であること、前記筆記具が交換可能なインキカートリッジを内蔵すると共に、前記支持板の筆記具本体が載置される部分に前記インキカートリッジを説明する第二説明部を表示することを要件とする。
更に、軸筒先端よりペン先を出没させる出没機構を備えた筆記具を収容する筆記具収容体であって、少なくとも軸筒先端を被覆し、前記被覆部外面に軸筒内に収容されるペン先を説明する説明部を表示すること、前記筆記具収容体が、支持板に載置した筆記具の軸筒先端及び筆記具後端を被覆することで筆記具を保持し、筆記具本体を視認可能とする構造であることを要件とする。
更には、前記筆記具収容体が、箱状柱体の連接する二側面に、長手方向と略垂直な向きで少なくとも二本の切込部を形成することにより得られること、前記筆記具収容体が、略楕円柱状箱体の一曲側面に、長手方向と略垂直な向きで少なくとも二本の切込部を形成することにより得られることを要件とする。
尚、本考案において「上」とは、キャップ側（軸筒先端側）を示し、「下」とは、本体後端側を示し、「後」とは、収容する製品の背面側を示す。
【考案の効果】
【０００５】
本考案により、包装時の作業コストや包装体の製造コストを高くすることなく、ユーザーに対して製品の特性を視覚的に明瞭に伝えることが容易なものとなる。特に販売時にハンギングを要しない場合にはディスプレイ上での安定載置が可能であるためより有用であり、販促物として配布する場合には多くの製品説明を記載できるためより有用である。
【考案を実施するための最良の形態】
【０００６】
本考案の筆記具収容体は、キャップを備えた筆記具を支持板（背板）に１本又は複数本載置した状態で、少なくともキャップを被覆して収容保持する構造を有し、前記被覆部分の外面に、キャップ内のペン先を写真や文字で説明する説明部を表示するものである。
【０００７】
前記収容体は、キャップ式筆記具を載置するための支持板（背板）と、該支持板上の筆記具を前面からキャップ部分（少なくとも上方）を支持板と挟むように被覆する被覆部とを備えており、紙、フィルム、樹脂板等を組み合わせて構成される。
前記被覆部表面（前面）には、収容する筆記具のキャップ内部のペン先の特徴（形状、太さ、材質等）について説明する説明部が表示される。前記説明部は、写真や描画等の構造、数値や特徴等の文字情報を用いることで、ユーザーに対して視覚的にキャップ内の特徴を伝えることができる。尚、前記説明部には、ペン先の特徴の他、キャップの内部構造（気密構造等）の特徴を説明したものを表示することもできる。
更に、前記被覆部には、メーカー名、商品名、キャッチコピー等を表示することもできる。
【０００８】
前記収容体の構造としては、支持板（例えば、樹脂板や厚紙等）に載置した筆記具のキャップ及び筆記具後端を被覆することで筆記具を収容保持し、筆記具本体を視認可能とする（露出又は透明樹脂材による被覆）構造とし、ユーザーが外側から見て実際の製品を認識できるような構成とすることが好ましい。その際、本体全体を露出するのみでなく、部分的に被覆したものであってもよい。
前記被覆による保持方法としては、支持板と別部材の被覆部（シュリンクフィルムや可撓性樹脂板等）による挟持や、支持板より延設される被覆部の上下面を封鎖した箱体による収容等が適用できる。
【０００９】
前記箱体形状の筆記具収容体としては、例えば、箱状柱体の連接する二側面に、長手方向と略垂直な向きで少なくとも二本の切込部を形成したもの（即ち、柱体の切込部を設けていない面が支持板となり、前記切込部間を支持板側へ押圧することで筆記具本体を視認可能に収容するもの）や、略楕円柱状箱体の一曲側面に、長手方向と略垂直な向きで少なくとも二本の切込部を形成したもの（即ち、略楕円柱状箱体の切込部を設けていない面が支持板となり、前記切込部間を支持板側へ押圧することで筆記具本体を視認可能に収容するもの）等を用いることで、低コストで容易に形成できる。
【００１０】
更に、前記支持板や箱状物における切込部間（即ち、筆記具収容時に筆記具の背面になる部分）にも説明部を設け、筆記具全体や本体内部の構造等を説明することができる。その際、収容する筆記具を交換可能なインキカートリッジを内蔵するタイプとし、前記支持板表面（筆記具本体が載置される部分）に前記インキカートリッジについて写真や文章で説明する第二説明部を設けることが好ましい。これにより、筆記具本体内の視認できない特徴的な構造をユーザーに視覚的に説明できる。
【００１１】
また、前記収容体の裏面にも、製品に関する説明や、販売店情報、販売促進用情報等を表記することができる。
【００１２】
前記筆記具としては、キャップ式筆記具であればボールペン、マーキングペン、万年筆等汎用のものが適用できる。特に、販売時に吊下げ陳列されない中詰式マーキングペンや万年筆等においては、前記収容体の支持板に平面部分を設けることによりディスプレイ上等に安定して載置できるため、より有用である。
【００１３】
また、前記筆記具として、交換可能なインキカートリッジ（インキを直接収容するインキ収容体の他、チップを備えたレフィル形態を含む）を内蔵するものを用いた場合、前記収容体の支持板や箱状物切込部間（即ち、筆記具収容時に筆記具本体の背面となる部分）にインキカートリッジの写真や交換方法等を掲載することが可能となるため、ユーザーへの製品説明（使用方法）をより確実に伝えることができる。
尚、前記インキカートリッジは、筆記具と共に被覆部内に収容することも可能である。更に、予備チップを収容することもできる。
【００１４】
次に、本考案の別形態の筆記具収容体は、軸筒先端よりペン先を出没させる出没機構を備えた筆記具（所謂出没式ボールペン、出没式マーキングペン、出没式万年筆等）を支持板（背板）に１本又は複数本載置した状態で、少なくとも軸筒先端を被覆して収容保持する構造を有し、前記被覆部分の外面に、軸筒内に収容されるペン先を写真や文字で説明する説明部を表示するものである。
【００１５】
前記収容体は、出没式筆記具を載置するための支持板（背板）と、該支持板上の筆記具を前面から軸筒先端近傍部分を支持板と挟むように被覆する被覆部とを備えており、紙、フィルム、樹脂板等を組み合わせて構成される。
前記被覆部表面（前面）には、収容する筆記具のペン先の特徴（形状、太さ、材質等）について説明する説明部が表示される。前記説明部は、写真や描画等の構造、数値や特徴等の文字情報を用いることで、ユーザーに対して視覚的にキャップ内の特徴を伝えることができる。尚、前記説明部には、ペン先の特徴の他、気密構造や出没機構等の内部構造の特徴説明を表示することもできる。
更に、前記被覆部には、メーカー名、商品名、キャッチコピー等を表示することもできる。
【００１６】
その他、収容体の具体的な構造や被覆部の形成や収容方法等、前述のキャップ式筆記具を収容するものと同様の構造・方法を用いることができる。
また、収容する出没式筆記具がレフィル式である場合には、前述と同様に写真や交換方法等を掲載して、ユーザーへの製品説明（使用方法）をより確実に伝えることができる。
【実施例】
【００１７】
本考案の実施例を以下の図面に従って説明する。
図１〜図４に第一の実施例を示す。図１は筆記具収容状態の筆記具収容体の外観図であり、図２は図１の側面図、図３は図１のＡ−Ａ断面図及びＢ−Ｂ断面図、図４は筆記具を取り出した状態の収容体外観図である。
【００１８】
図１乃至３の筆記具収容体１は、本体２内に筆記具８を収容するものであり、本体２は上面及び下面を開閉可能とした厚紙により形成されるひし形柱状箱体から構成され、該箱体の四側面（周面）のうち、鈍角に連接する二側面（背面となる二平面）が筆記具８を載置するための支持板３として機能する。
また、前記支持板３の前面に位置する、鈍角に連接する二側面（正面となる二平面）には、長手方向（筆記具８の軸方向）と略垂直な向きで二本の曲線状切込部２１を設けることにより該切込部間に可動部５が形成され、該可動部５が裏面（支持板３側）に移動することで被覆部４と下方支持部６が形成される。その際、移動後の可動部５は筆記具載置部として機能する。
【００１９】
前記筆記具収容体１は、本体２の上面又は下面を開放してキャップ式筆記具８をキャップ８２上向き状態で収容することで容易に形成できる。即ち、該収容状態は、筆記具本体８１を外部から視認可能とすると共に、支持板３と被覆部４によりキャップ８２を挟み込むように保持するものである。また、支持板３と下方支持部６により筆記具８の後端を挟み込むように保持することで、筆記具８が本体２から飛び出すことなくより安定した状態を維持できる。
【００２０】
前記被覆部４の表面には、収容する筆記具８のキャップ内部のペン先の特徴を説明するための説明部４１が印刷されている。
前記説明部４１には、チップを含む筆記具先端の写真図と、チップの外径や形状等の特徴や筆跡幅等を説明する説明文（説明図）が表示されており、ユーザーに対して、外部からは視認できない部分の製品特徴を視覚的に容易に伝達することが可能なものとなっている。
【００２１】
また、前記被覆部４や下方支持部６、更に可動部５のうち筆記具８が載置された状態であっても視認可能な位置には、商品名、メーカー名、商品分類、バーコード、キャッチコピー等が記載される装飾部７が設けられる。
前記装飾部７により、収容体１の装飾性を高めると共に、ユーザーに対してより多様な商品情報を提供できるものとなる。
【００２２】
更に、前記可動部５のうち筆記具８が載置された状態で視認できない位置（即ち、筆記具８の裏面）には、筆記具本体８１内の構造や特徴を説明する第二説明部５１が形成されている。
具体的には、筆記具内に交換可能に収容されるインキカートリッジの写真図と、交換用カートリッジの品番や価格を説明する説明文（説明図）が表示されており、ユーザーに対して、筆記具内部の特徴や交換部品について視覚的に容易に伝達することが可能なものとなっている。また、第二説明部５１にはカートリッジやチップの交換方法等を表示することもできる。
尚、前記第二説明部５１は、可動部５の筆記具８の裏面となる位置以外に、筆記具８が載置された状態で視認できる位置に設けてもよい。
【００２３】
更に、前記支持板３の裏面や本体２の上下面にも、製品に関する説明を表記することや、販売店情報をスタンプや印刷により印字することができる。
また、本実施例の支持板３は二平面により形成されているため、ハンギング等を用いずディスプレイに並置される場合、安定して載置できると共に、四角柱状であるため複数個を規則的に重ねて載置できるため、円柱型筆記具を並置する場合よりも見栄えがよく、ディスプレイ形状の工夫を要せずに複数の製品を安定して並べることが可能となる。
【００２４】
前記筆記具８は、極太チップを備え、交換可能なカートリッジを収容した筆記具本体２に不透明キャップ８２を取り付けたマーキングペンである。
尚、前記収容体１に用いられる筆記具８としては、不透明なキャップ８２以外にも、透明、半透明等、外部からチップが視認できるものであっても適用できる。
【００２５】
図５及び図６に第二の実施例を示す。図５は筆記具収容体の外観図であり、図６は図５のＡ−Ａ断面図及びＢ−Ｂ断面図である。
【００２６】
図５及び図６の筆記具収容体１は、本体２内に筆記具８を収容するものであり、本体２は上面及び下面を開閉可能とした厚紙により形成される略楕円柱状箱体から構成され、該箱体の二周面のうちの一方を筆記具載置用の支持板３とするものである。
また、もう一方の周面（支持板３を裏面とした際に前面となる周壁）には、長手方向（筆記具８の軸方向）と略垂直な向きで二本の曲線状切込部２１を設けることにより該切込部間に可動部５が形成され、該可動部５が裏面（支持板３側）に移動することで被覆部４と下方支持部６が形成される。その際、移動後の可動部５は筆記具載置部として機能する。
【００２７】
前記本体２内には、先端傾斜面を有するチップを備え、交換可能なカートリッジを収容した筆記具本体８１に不透明キャップ８２を取り付けたマーキングペン（筆記具８）が収容される。即ち、該収容状態は、筆記具本体８１を外部から視認可能とすると共に、支持板３と被覆部４によりキャップ８２を挟み込むように保持するものである。また、支持板３と下方支持部６により筆記具８の後端を挟み込むように保持することで、筆記具８が本体２から飛び出すことなくより安定した状態を維持できる。
【００２８】
前記被覆部４の表面には、収容する筆記具８のキャップ内部のペン先の特徴を説明するための説明部４１が印刷されている。
前記説明部４１には、チップを含む筆記具先端の写真図と、チップの外径や形状等の特徴や筆跡幅等を説明する説明文が表示されており、ユーザーに対して、外部からは視認できないキャップ内部の製品特徴を視覚的に容易に伝達することが可能となっている。
【００２９】
更に、前記被覆部４や下方支持部６には、商品名、メーカー名、商品分類、バーコード、キャッチコピー等が記載される装飾部７が設けられる。
また、前記可動部５の筆記具８が載置された状態で視認できない位置（即ち、筆記具８の裏面）には、筆記具本体８１内の構造やインキカートリッジの交換方法等を説明する第二説明部が形成されており、いずれもユーザーに対して、筆記具の特徴や使用方法（交換方法）等を視覚的に容易に伝達するために適用されるものである。
【００３０】
また、支持板３の裏面には、営業元、販売元、担当者等に関する情報が印刷又はスタンプにより印字されており、販売促進物として有用な仕様となっている。
【００３１】
図７に第三の実施例を示す。図７は筆記具収容体の外観図である。
図７の筆記具収容体１は、本体２内に筆記具８を収容するものであり、本体２は上面及び下面を開閉可能とした厚紙により形成されるひし形柱状箱体から構成され、該箱体の四側面（周面）のうち、鈍角に連接する二側面（背面となる二平面）が筆記具８を載置するための支持板３として機能する。
また、前記支持板３の前面に位置する、鈍角に連接する二側面（正面となる二平面）には、長手方向（筆記具８の軸方向）と略垂直な向きで二本の曲線状切込部２１を設けることにより該切込部間に可動部５が形成され、該可動部５が裏面（支持板３側）に移動することで被覆部４と下方支持部６が形成される。その際、移動後の可動部５は筆記具載置部として機能する。
【００３２】
前記筆記具収容体１は、本体２の上面又は下面を開放して出没式筆記具８を先端開口部８３上向き状態で収容することで容易に形成できる。即ち、該収容状態は、筆記具本体８１を外部から視認可能とすると共に、支持板３と被覆部４により先端開口部８３近傍を挟み込むように保持するものである。また、支持板３と下方支持部６により筆記具８の後端（ノック部分及び軸筒後端）を挟み込むように保持することで、筆記具８が本体２から飛び出すことなくより安定した状態を維持できる。
【００３３】
前記被覆部４の表面には、収容する筆記具８の軸筒内部のペン先の特徴を説明するための説明部４１が印刷されている。
前記説明部４１には、チップを含む筆記具先端の写真図と、チップの外径や形状等の特徴や筆跡幅等を説明する説明文（説明図）が表示されており、ユーザーに対して、外部からは視認できない部分の製品特徴を視覚的に容易に伝達することが可能なものとなっている。
【００３４】
また、前記被覆部４や下方支持部６、更に可動部５のうち筆記具８が載置された状態であっても視認可能な位置には、商品名、メーカー名、商品分類、バーコード、キャッチコピー等が記載される装飾部７が設けられる（図中では可動部５に形成している）。
前記装飾部７により、収容体１の装飾性を高めると共に、ユーザーに対してより多様な商品情報を提供できるものとなる。
【００３５】
更に、前記可動部５のうち筆記具８が載置された状態で視認できない位置（即ち、筆記具８の裏面）には、筆記具本体８１内の構造や特徴を説明する第二説明部が形成されている（図示せず）。具体的には、筆記具内に交換可能に収容されるレフィル（カートリッジ）の写真図や、該レフィルの品番や価格を説明する説明文（説明図）、更には交換方法等が表示されており、ユーザーに対して、交換用レフィルや交換方法について視覚的に容易に伝達することが可能なものとなっている。
尚、前記第二説明部は、可動部５の筆記具８の裏面となる位置以外に、筆記具８が載置された状態で視認できる位置に設けてもよい。
【００３６】
更に、前記支持板３の裏面や本体２の上下面にも、製品に関する説明を表記することや、販売店情報をスタンプや印刷により印字することができる。
また、本実施例の支持板３や底面（下面）は平面により形成されているため、ハンギング等を用いずディスプレイに並置される場合、横置き及び縦置きで安定して載置できる。そのため複数個を規則的に重ねて載置できるので、円柱型筆記具を並置する場合よりも見栄えがよく、ディスプレイ形状の工夫を要せずに複数の製品を安定して並べることが可能となる。
【００３７】
前記筆記具８は、先端開口部８３及びクリップを有する筆記具本体２に、チゼルチップを備えた交換可能なレフィルを収容する後端ノック出没式のマーキングペンである。
尚、前記収容体１に用いられる筆記具８としては、不透明な軸筒（筆記具本体２）以外にも、透明、半透明等、外部からチップが視認できるものであっても適用できる。
【図面の簡単な説明】
【００３８】
【図１】本考案の筆記具収容体の一実施例を示す外面図である。
【図２】図１の側面図である。
【図３】図１のＡ−Ａ断面及びＢ−Ｂ断面図である。
【図４】筆記具を収容する前の状態を示す外面図である。
【図５】本考案の筆記具収容体の一実施例を示す外面図である。
【図６】図５のＡ−Ａ断面及びＢ−Ｂ断面図である。
【図７】本考案の筆記具収容体の一実施例を示す外面図である。
【符号の説明】
【００３９】
１  筆記具収容体
２  本体
２１  切込部
３  支持板
４  被覆部
４１  説明部
５  可動部
５１  第二説明部
６  下方支持部
７  装飾部
７１  インキ収容部
８  筆記具
８１  筆記具本体
８２  キャップ
８３  先端開口部
【図１】
0003169550.tif 000003
【図２】
0003169550.tif 000004
【図３】
0003169550.tif 000005
【図４】
0003169550.tif 000006
【図５】
0003169550.tif 000007
【図６】
0003169550.tif 000008
【図７】
0003169550.tif 000009